(57)【要約】      （修正有） 【課題】名刺入れに収納した名刺から必要とする自分の名刺を１枚ずつ確実かつ容易に取り出せる、補充剤等の不要な名刺・カード差しを提供する。【解決手段】弾力性を有する１枚の素材より１カットで下端部より約２０ｍｍかつ中心位置から両外側に約３ｍｍの位置ａ、さらに両外側約３ｍｍの位置ｂ、さらに両外側約３ｍｍの位置ｃ、さらに両外側約３ｍｍの位置ｄ、さらに両外側約３ｍｍの位置ｅとして、ａ−ａ、ｂ−ｂ、ｃ−ｃ、ｄ−ｄ、ｅ−ｅ間をそれぞれハート型または台形状の矩形に結んだ切り抜きラインからなる複数のスリット５を設け、かつ各スリットの起点・終点下部に圧力により素材を直線状に圧縮して形成した折り目４加工を施し、複数のスリットに名刺やカード類を差し込む。折り畳み式の名刺入れあるいは財布に付加することが好ましい。【選択図】図１
0003195261.tif 000002
【実用新案登録請求の範囲】
【請求項１】
弾力性を有する１枚の素材より１カットで複数のスリット（切れ目）を設け、
かつ下部に折り目加工を施したカード状の名刺・カード差し。
【請求項２】
上記で加工した複数のスリットに名刺やカード類を差し込むことができる名
刺・カード差し。
【請求項３】
下部の折り曲げ可能部分により、１枚以上の名刺を収納する収納部と、収納
部から名刺を取り出すための開口部と開口部が露出するのを防止する被覆部
を有し、被覆部と収納部が開閉可能に連結された折り畳み式の名刺入れある
いは財布に取り付けることが可能な名刺・カード差し。
【請求項４】
下部の折り曲げ可能部分により、１枚以上の名刺を収納する収納部と、収納
部から名刺を取り出すための開口部と開口部が露出するのを防止する被覆部
を有し、被覆部と収納部が開閉可能に連結された折り畳み式の名刺入れある
いは財布の名刺あるいはカード類の収納部に収納することが可能な名刺・カ
ード差し。
【考案の詳細な説明】
【技術分野】
【０００１】
本考案は、ビジネスマンが携帯する名刺入れに関し、名刺交換の際に名刺入    
れから目的の名刺を取り出す事を容易にする、名刺入れに付属させる名刺カ
ード差しに関するものである。
【背景技術】
【０００２】
折り畳み式の名刺入れは多くの社会人が自分の名刺や名刺交換した相手の名
刺を収納するために利用しており、商談等に携帯するものである。そして面
会者と名刺を交換するにあたって自分の名刺を名刺入れから取り出して面会
者に手渡すのが慣例となっている。
【０００３】
そのような名刺の交換場面において、自分の名刺を名刺入れから取り出す際
に手間取ったり複数枚取り出したりして、相手を待たせるのはマナー的に遺
憾であり、自己の評価を下げかねない行為である。そこで、名刺を円滑に取
り出せる名刺入れ（たとえば特許文献１）が開発されている。
【０００４】
特許文献１に開示された折り畳み式の名刺入れは、滑り止め剤を配置してお
り、その滑り止め剤を指先に不着させて名刺を円滑に取り出す事ができる。
ただし滑り止め剤は乾燥や汚れのリスクがあり、最後には無くなってその効
果を得られなくなり、当初の目的を果たせなくなる。また束で収納している
ポケットには自分の名刺の他に以前に受領した他の名刺を収納していること
があるので滑り止め剤で取り出した名刺が自分のものでは無い可能性もある。
【０００５】
つまり従来の名刺入れは、容易に名刺を取り出すという機能を果たせなくな
る可能性があり、また目的と異なる名刺を取り出してしまうという問題を解
決できない。
【先行技術文献】
【特許文献】
【０００６】
【特許文献１】特開2000-247082号公報
【考案の概要】
【考案が解決しようとする課題】
【０００７】
本考案は、上記のような従来の欠点に鑑み、名刺入れに収納した名刺から必
要とする自分の名刺を１枚ずつ確実かつ容易に取り出せる、補充剤の不要な
名刺・カード差しを提供することを目的とする。
【０００８】
本考案は、既存の名刺入れに付加することにより、新たに同様の機能を持つ
名刺入れを製作するより安価に製造可能で使用者の経済的負担を軽減する名
刺・カード差しを提供することを目的とする。
【課題を解決するための手段】
【０００９】
本考案は、１枚以上の名刺を収納する収納部と、収納部から名刺を取り出す
ための開口部と開口部が露出するのを防止する被覆部を有し、被覆部と収納
部が開閉可能に連結された折り畳み式の名刺入れあるいは財布に付加するこ
とにより、必要な名刺を分割保持して視認しやすく、容易に１枚ずつ取り出
すことのできる名刺・カード差しである。
【考案の効果】
【００１０】
本考案によれば、取り出したい名刺を視認しながら１枚ずつ容易に名刺入れ
から取り出すことができ、構成が簡素であるため安価に製造することができ、
さらに既存の名刺入れを活用できるので、資源保護の観点からも有用である。
【図面の簡単な説明】
【００１１】
【図１】本考案の請求項１の非使用時を示した正面図である。
【図２】本考案のスリット部分及び折り曲げ部分を曲げた側面図である。
【図３】本考案のスリット部分及び折り曲げ部分を曲げた平面図である。
【図４】本考案の使用時の正面図である。
【図５】本考案の使用時の側面図である。
【図６】本考案の使用時の平面図である。
【図７】本考案の請求項2実施例の斜視図である。
【図８】本考案の請求項3実施例の斜視図である。
【図９】本考案の請求項4実施例の斜視図である。
【考案を実施するための形態】
【００１２】
以下本考案の実施の形態を図に基つ&#12441;いて説明する。
【実施例１】
【００１３】
図７は本考案の実施例１の斜視図及び側面図であって、スリット部分を突出
させて適度な間隔に広げて名刺を差し込み、下部屈曲部を折り曲げた状態で
ある。
【００１４】
このようにして、本考案の名刺・カード差しは名刺やカードを密着して重な  
ることがないので一枚ずつ取り出し易く、かつ視認性よく保持できることが
確かめられた。
【実施例２】
【００１５】
図８は本考案の実施例２の斜視図であって、既存の折り畳み式名刺入れの収
納部でマチの無い薄い収納部に本考案の下部屈曲部を挿入して取り付け、
名刺入れを広げた状態である。
【００１６】
このようにして、本考案の名刺・カード差しは既存の名刺入れや財布に装着
して、名刺やカードが密着して重なることがないので一枚ずつ取り出し易く、
かつ視認性よく保持できることが確かめられた。
【実施例３】
【００１７】
図９は本考案の実施例３の斜視図であって、既存の折り畳み式名刺入れの収
納部でマチのある複数枚の名刺などの収納部に本考案を挿入して、名刺入れ
を広げた状態である。
【００１８】
このようにして、本考案の名刺・カード差しは既存の名刺入れや財布に挿入
して、名刺やカードが密着して重なることがないので一枚ずつ取り出し易く、
かつ視認性よく保持できることが確かめられた。
【産業上の利用可能性】
【００１９】
本考案は、名刺・カード差しを製造する産業で利用される。
【符号の説明】
【００２０】
１  本考案名刺・カード差し本体
２  名刺・カード等支持部
３  下部折り曲げ部
４  折り曲げ箇所
５  切り抜きライン（スリット）
６  名刺又はカード類
７  既存の折り畳み式名刺入れ
【図１】
0003195261.tif 000003
【図２】
0003195261.tif 000004
【図３】
0003195261.tif 000005
【図４】
0003195261.tif 000006
【図５】
0003195261.tif 000007
【図６】
0003195261.tif 000008
【図７】
0003195261.tif 000009
【図８】
0003195261.tif 000010
【図９】
0003195261.tif 000011
【手続補正書】
【提出日】平成26年7月28日(2014.7.28)
【手続補正１】
【補正対象書類名】実用新案登録請求の範囲
【補正対象項目名】全文
【補正方法】変更
【補正の内容】
【実用新案登録請求の範囲】
【請求項１】
弾力性を有する１枚の素材より１カットで下端部より約20mmかつ左右の中心
から両外側約3mmの位置a、さらに両外側約3mmの位置ｂ、さらに両外側3mm
の位置c、さらに両外側d、さらに両外側eとして、a-a、b-b、c-c、d-d、
e-eをハート型または台形状の矩形に結んだ複数のスリットを設け、
かつ各スリットの起点・終点下部に圧力により素材を直線状に圧縮して形成
した折り目加工を施したカード状の名刺・カード差し。
【請求項２】
複数のスリットに名刺やカード類を差し込むことができる事を特徴とする請
求項１に記載の名刺・カード差し。
【請求項３】
下部の折り曲げ可能部分により、１枚以上の名刺を収納する収納部と、収納
部から名刺を取り出すための開口部と開口部が露出するのを防止する被覆部
を有し、被覆部と収納部が開閉可能に連結された折り畳み式の名刺入れある
いは財布に折り曲げ可能部分を挿入することによって取り付けることが可能
な事を特徴とする請求項１に記載の名刺・カード差し。
【請求項４】
下部の折り曲げ可能部分により、１枚以上の名刺を収納する収納部と、収納
部から名刺を取り出すための開口部と開口部が露出するのを防止する被覆部
を有し、被覆部と収納部が開閉可能に連結された折り畳み式の名刺入れある
いは財布の名刺あるいはカード類の収納部に折り曲げ可能部分を折り曲げて
収納することが可能な事を特徴とする請求項１に記載の名刺・カード差し。
【手続補正２】
【補正対象書類名】図面
【補正対象項目名】図１
【補正方法】変更
【補正の内容】
【図１】
0003195261.tif 000012
【手続補正書】
【提出日】平成26年11月12日(2014.11.12)
【手続補正１】
【補正対象書類名】実用新案登録請求の範囲
【補正対象項目名】請求項１
【補正方法】変更
【補正の内容】
【請求項１】
弾力性を有する１枚の素材より１カットで下端部より約20mmかつ中心位置
から両外側に約3mmの位置(a)、さらに両外側約3mmの位置(ｂ)、さらに両外
側約3mmの位置(c)、さらに両外側約3mmの位置(d)、さらに両外側約3mmの
位置(e)として、(a-a)、(b-b)、(c-c)、(d-d)、(e-e)をそれぞれハート型ま
たは台形状の矩形に結んだ複数のスリットを設け、かつ各スリットの起点・
終点下部に圧力により素材を直線状に圧縮して形成した折り目加工を施した
カード状の名刺・カード差し。